(57)【要約】【課題】  肉薄で、耐久性および使用性に優れる間仕切りパネルを提供する。【解決手段】  主として水回りに使用されるものであり、少なくとも、芯材部分を構成するＡＢＳ樹脂パネル２と、前記ＡＢＳ樹脂パネル２の表裏両面を覆うメラミン樹脂化粧板３と、前記ＡＢＳ樹脂パネル２とメラミン樹脂化粧板３との間に介在し、当該ＡＢＳ樹脂パネル２とメラミン樹脂化粧板３とを接着する合成樹脂系接着剤層４とで構成する。ＡＢＳ樹脂パネル２およびメラミン樹脂化粧板３は共に、強度や引張強さ等の機械的性質に優れるので、木材を使用した間仕切りパネルと比較して、肉薄に形成することができる。これにより、当該間仕切りパネル１が設置されるトイレブースのスペースを広く使用することができると共に、軽量化を図ることができる。【選択図】      図２
0003173218.tif 000002
【実用新案登録請求の範囲】
【請求項１】
主として水回りに使用される間仕切りパネルであって、少なくとも、芯材部分を構成するＡＢＳ樹脂パネル（２）と、前記ＡＢＳ樹脂パネルの表裏両面を覆うメラミン樹脂化粧板（３）と、前記ＡＢＳ樹脂パネルとメラミン樹脂化粧板との間に介在し，該ＡＢＳ樹脂パネルとメラミン樹脂化粧板とを接着する合成樹脂系接着剤層（４）と、で構成された間仕切りパネル。
【考案の詳細な説明】
【技術分野】
【０００１】
本考案は、主として、トイレなどの水回りに使用する間仕切りパネルに関するものである。
【背景技術】
【０００２】
従来、トイレブースやシャワーブースなどの水回りに使用される間仕切りパネルとしては、例えば、木製や樹脂製の長方形枠体の空隙部分に、芯材を構成する部分として木製や紙製のコア材を入れ、その表裏両面を樹脂製の化粧板で貼り合わせたものが多く使用されている（例えば、特許文献１参照）。
【０００３】
また、ＭＤＦ（中質繊維板：木材繊維を原料とする成型板）やパーティクルボード（木材を削り砕いた小細片を接着剤で固めた板）を芯材とし、その表裏両面に化粧板を貼り合わせたものも広く使用されている。
【先行技術文献】
【特許文献】
【０００４】
【特許文献１】特開平８−２３０１０８号公報
【考案の概要】
【考案が解決しようとする課題】
【０００５】
しかし、上記した従来の間仕切りパネルの主なる構成材料は木材であるため、剛性に欠ける。従って、十分な剛性を持たせるために４０ｍｍ程度の肉厚を必要としている。その結果、重量が嵩むと共に、当該間仕切りパネルが設置されるスペース（例えばトイレブース）を狭くしてしまうといった問題がある。
【０００６】
また、この木材を主な材料とする間仕切りパネルは耐水性に欠けるため、水を吸収して短期間で腐食してしまい易いといった問題もある。さらに、芯材部分が、木製や紙製のコア材やＭＤＦあるいはパーティクルボードであり、これらは木質であるため耐衝撃性に欠けると共に，水を吸収し保水して経年劣化を起こしてしまう。そのため、例えば、ペーパーホルダーなどをネジ止めするときには内部に補強材を配置する必要がある。
【０００７】
本考案はこうした問題に鑑み創案されたもので、肉薄で、耐久性および使用性に優れる間仕切りパネルを提供することを課題とする。
【課題を解決するための手段】
【０００８】
図１及び図２を参照して説明する。本考案に係る間仕切りパネル１は、主として水回りに使用されるものであって、少なくとも、芯材部分を構成するＡＢＳ樹脂パネル２と、前記ＡＢＳ樹脂パネル２の表裏両面を覆うメラミン樹脂化粧板３と、前記ＡＢＳ樹脂パネル２とメラミン樹脂化粧板３との間に介在し、当該ＡＢＳ樹脂パネル２とメラミン樹脂化粧板３とを接着する合成樹脂系接着剤層４とで構成される。
【０００９】
なお、ＡＢＳ樹脂とは、アクリロニトリルとブタジエンとスチレンの共重合合成樹脂であり、機械的性質（強度、加工性、耐衝撃性、曲げ疲労性など）に優れる。また、メラミン樹脂とは、メラミンとホルムアルデヒドの重縮合によって得られる熱硬化性樹脂であり、機械的性質（強度、引張強さ等）や耐水性などに優れる。
【考案の効果】
【００１０】
本考案に係る間仕切りパネル１は、少なくとも、芯材部分を構成するＡＢＳ樹脂パネル２と、ＡＢＳ樹脂パネル２の表裏両面を覆うメラミン樹脂化粧板３と、ＡＢＳ樹脂パネル２とメラミン樹脂化粧板３との間に介在し、ＡＢＳ樹脂パネル２とメラミン樹脂化粧板３とを接着する合成樹脂系接着剤層４とで構成されており、木材を一切使用していない。従って、肉薄に形成することができると共に、耐久性および耐水性並びに耐薬品性に優れる。
【００１１】
すなわち、ＡＢＳ樹脂パネル２およびメラミン樹脂化粧板３は共に、強度や引張強さ等の機械的性質に優れるので、比較的強度に劣る木製のものと比較して肉薄に形成することができる。これにより、当該間仕切りパネル１が設置されるスペースを広く使用することができると共に、軽量化を図ることができる。
【００１２】
また、これらは共に樹脂製であるので耐水性に優れ、従って、水を吸収して腐食することもない。また、機械的強度が高いので耐衝撃性にも優れ、その結果、優れた耐久性を発揮する。さらに、機械的強度に優れるので、例えば、トイレットペーパーホルダーなどを直接ネジ止めすることができ、使用性にも優れる。
【図面の簡単な説明】
【００１３】
【図１】本考案に係る間仕切りパネルの実施形態を示す正面図である。
【図２】図１のＸ−Ｘ線切断一部拡大図である。
【考案を実施するための形態】
【００１４】
本考案に係る間仕切りパネル１の実施形態を図１および図２に示す。これは、トイレブースのドアＤおよび隔壁Ｗとして使用されるものであり、正面略矩形状で、成形材料として１枚のＡＢＳ樹脂パネル２と、２枚のメラミン樹脂化粧板３と、合成樹脂系接着剤層４とを備える。この間仕切りパネル１は、その肉厚が２０ｍｍ、高さが２４２０ｍｍ、幅が１２００ｍｍに設定され、その一方側にドアノブＫが設けられている。
【００１５】
なお、本考案に係る間仕切りパネル１は、上記の寸法に限定されるものではなく、例えば、その肉厚を１０ｍｍ〜６０ｍｍの範囲で設定することができ、また、その高さおよび幅も特定されない。また、本考案の間仕切りパネル１は、トイレブースのドアＤや隔壁Ｗの他に、シャワーブースのドアや隔壁などとしても使用することができる。
【００１６】
本実施形態におけるＡＢＳ樹脂パネル２は、発泡倍率が０〜５．０程度の低発泡のＡＢＳ樹脂パネルであり、更に厚さや発泡倍率或いは性質の異る薄いＡＢＳ樹脂シートを複数枚重ねて接着固化してＡＢＳ樹脂パネルとすることも出来る間仕切りパネル１の芯材部分を構成する。このＡＢＳ樹脂パネル２は、強度、加工性、耐衝撃性、曲げ疲労性などの機械的性質に優れるといった特性を持つ。
【００１７】
メラミン樹脂化粧板３は、２枚の内の１枚がＡＢＳ樹脂パネル２のおもて面を覆い、他の１枚がＡＢＳ樹脂パネル２の裏面を覆う。これにより、２枚のメラミン化粧板がＡＢＳ樹脂パネル２を、その間に隙間を形成することなく挟み込んで、内部に空隙部のない間仕切りパネル１を形成している。なお、このメラミン樹脂化粧板３は、強度や引張強さ等の機械的性質と耐水性などに優れるといった特性を持つ。
【００１８】
合成樹脂系接着剤層４は、ＡＢＳ樹脂パネル２とメラミン樹脂化粧板３との間に介在し、当該ＡＢＳ樹脂パネル２とメラミン樹脂化粧板３とを接着する。合成樹脂系接着剤層４は、接着性や耐寒性あるいは耐候性などに優れるので、トイレブースをはじめとする水回りに使用する接着剤として好適である。合成樹脂系接着剤としては、ウレタン系接着剤やエポキン系接着剤が挙げられ、ホットメルトも含まれる。
【００１９】
本実施形態に係る間仕切りパネル１は、ＡＢＳ樹脂パネル２とメラミン樹脂化粧板３と合成樹脂系接着剤層４とで構成しており、木材（紙を含む）を全く使用していない。従って、肉薄で、耐久性および使用性に優れる。
【００２０】
すなわち、ＡＢＳ樹脂パネル２およびメラミン樹脂化粧板３は共に、強度や引張強さ等の機械的性質に優れるので、木材を使用した間仕切りパネルと比較して、肉薄に形成することができる。これにより、当該間仕切りパネル１が設置されるトイレブースのスペースを広く使用することができると共に、軽量化を図ることができる。
【００２１】
また、ＡＢＳ樹脂、メラミン樹脂化粧板３および合成樹脂系接着剤層４は樹脂製であるため耐水性に優れ、従って、水を吸収して腐食することもない。また、ＡＢＳ樹脂およびメラミン樹脂化粧板３は機械的強度が高く、また、この間仕切りパネル１は、耐衝撃性にも優れる。そのため、優れた耐久性を発揮する。
【００２２】
さらに、この間仕切りパネル１は機械的強度に優れ、トイレブースの隔壁Ｗとして使用した場合には、その隔壁Ｗにペーパーホルダーなどを直接ネジ止めすることができる。また、トイレブースのドアＤとして使用した場合には、フックなどを直接ネジ止めすることができる。従って、使用性にも優れる。
【符号の説明】
【００２３】
１      間仕切りパネル
２      ＡＢＳ樹脂パネル
３      メラミン樹脂化粧板
４      合成樹脂系接着剤層
Ｄ      ドア
Ｗ      隔壁
Ｋ      ドアノブ
【図１】
0003173218.tif 000003
【図２】
0003173218.tif 000004